(57)【要約】【課題】  アクセサリーが取り付けられたアクセサリー用取付具の取付部に対する取付状態の安定化を図る。【解決手段】  一端部が種類の異なる二つの取付部８、９に対して取付可能とされると共に他端部にアクセサリー１００が取り付けられるベース体１１と、ベース体の一端部に回転可能に支持されベース体を取付部に固定する固定用ネジ１２と、固定用ネジが挿通されるネジ挿通孔２２ａを有しベース体が取付部に固定されたときに取付部に装着可能とされた保持部材１４とを備え、保持部材に、一方の取付部８に対する固定用ネジの軸回り方向へのベース体の回転を規制する回り止め部２３、２３を設けた。【選択図】        図５
2010039430.tif 000002
【特許請求の範囲】
【請求項１】
一端部が種類の異なる二つの取付部に対して取付可能とされると共に他端部にアクセサリーが取り付けられるベース体と、
前記ベース体の前記一端部に回転可能に支持され前記ベース体を前記取付部に固定する固定用ネジと、
前記固定用ネジが挿通されるネジ挿通孔を有し前記ベース体が前記取付部に固定されたときに前記取付部に装着可能とされた保持部材とを備え、
前記保持部材に、前記一方の取付部に対する前記固定用ネジの軸回り方向への前記ベース体の回転を規制する回り止め部が設けられた
アクセサリー用取付具。
【請求項２】
前記一方の取付部として前記固定用ネジが螺合されるネジ溝を有する台座が設けられ、
前記他方の取付部として一対のガイドレールを有するシューが設けられ、
前記ベース体に前記シューのガイドレールに案内されて保持される一対の被ガイド部を設けた
請求項１に記載のアクセサリー用取付具。
【請求項３】
前記保持部材を前記ベース体に対して着脱可能とし、
前記台座に前記ベース体が取り付けられるときに前記保持部材を前記ベース体に取り付け、
前記シューに前記ベース体が取り付けられるときに前記保持部材を前記ベース体から取り外した状態とした
請求項２に記載のアクセサリー用取付具。
【請求項４】
前記保持部材が前記ベース体に取り付けられたときに前記保持部材を保持する付勢バネを設けた
請求項３に記載のアクセサリー用取付具。
【請求項５】
前記固定用ネジの回転時に前記保持部材を前記固定用ネジと一体に前記固定用ネジの軸方向へ移動可能とした
請求項１に記載のアクセサリー用取付具。
【請求項６】
種類の異なる二つの取付部と被写体を撮影する撮像部とを有する装置本体と、
前記装置本体にアクセサリーを取り付けるアクセサリー用取付具とを備え、
前記アクセサリー用取付具は、
一端部が前記装置本体の二つの取付部に対して取付可能とされると共に他端部にアクセサリーが取り付けられるベース体と、
前記ベース体の前記一端部に回転可能に支持され前記ベース体を前記取付部に固定する固定用ネジと、
前記固定用ネジが挿通されるネジ挿通孔を有し前記ベース体が前記取付部に固定されたときに前記取付部に装着可能とされた保持部材とを有し、
前記保持部材に、前記一方の取付部に対する前記固定用ネジの軸回り方向への前記ベース体の回転を規制する回り止め部が設けられた
撮像装置。
【発明の詳細な説明】
【技術分野】
【０００１】
本発明はアクセサリー用取付具及び撮像装置についての技術分野に関する。詳しくは、回り止め部を有する保持部材を設けてアクセサリーが取り付けられたアクセサリー用取付具の取付部に対する取付状態の安定化を図る技術分野に関する。
【背景技術】
【０００２】
ビデオカメラやスチルカメラ等の各種の撮像装置には各種のレンズや撮像素子等によって構成された撮影機能を有する撮像部が設けられている。このような撮像装置は、近年、各種の電子機器、例えば、携帯電話、パーソナルコンピューター、ＰＤＡ（Personal Digital Assistant）等にも組み込まれ用途の拡大が図られている。
【０００３】
撮像装置には撮像部を有する装置本体にアクセサリー用取付具を介してアクセサリーが取り付けられて使用される場合がある（例えば、特許文献１参照）。このようなアクセサリーとしては、例えば、カード型、スティック型、ディスク状の各種の記録媒体が装着されるアダプターや夜間撮影時等に用いられる照明装置等がある。例えば、アクセサリーとして記録媒体が装着されるアダプターを使用することにより、撮影データーを装置本体に収納された記録媒体に記録すると同時にアダプターに装着された記録媒体に記録することができる。また、装置本体に収納された記録媒体の記録容量の不足を補うために、アダプターに装着された記録媒体を予備用の記録媒体として用いることも可能である。
【０００４】
また、特許文献１に示されているように、撮像装置以外の三脚やグリップ等の保持具に対しても、上記したアクセサリーが取り付けられて使用される場合がある。
【０００５】
このような撮像装置や保持具にはアクセサリー用取付具が取り付けられる取付部が設けられており、このような取付部としては、一般に、台状に形成された台座と一対のガイドレールを有するシューとが存在する。
【０００６】
アクセサリー用取付具はベース体と固定用ネジを有し、ベース体は一端部が取付部（台座又はシュー）に取り付けられ他端部にアクセサリーが取り付けられ、固定用ネジがベース体に回転自在に支持されている。
【０００７】
アクセサリーが取り付けられたアクセサリー用取付具は、台座又はシューに固定用ネジが一方へ回転されて締め付けられることにより固定される。
【０００８】
【特許文献１】特開２００８−９０２５５号公報
【発明の開示】
【発明が解決しようとする課題】
【０００９】
ところで、アクセサリー用取付具が台座又はシューに対して固定用ネジによって固定された状態において、シューへの取付の場合にはベース体に設けられた一対の被ガイド部が一対のガイドレールにガイドされて保持された状態とされている。ところが、台座への取付の場合にはシューの場合のようなガイド及び保持が行われていない状態とされている。
【００１０】
従って、アクセサリー用取付具が台座に固定された状態において、アクセサリー用取付具及びこれに取り付けられているアクセサリーの向きが、装置本体又は保持具に対する適正位置からずれてしまうおそれがある。また、固定用ネジに緩みが発生することにより、アクセサリー用取付具及びこれに取り付けられているアクセサリーの向きが、装置本体又は保持具に対する適正位置に対してずれてしまうおそれがある。
【００１１】
また、台座への取付の場合には、上記した保持が行われていない状態であるため、固定用ネジに対して緩み方向への外力が付与されたときに固定用ネジが緩み易い。従って、最悪の場合には固定用ネジが台座から外れてアクセサリー用取付具及びこれに取り付けられているアクセサリーが装置本体又は保持具から脱落してしまうおそれもある。
【００１２】
そこで、本発明アクセサリー用取付具及び撮像装置は、上記した問題点を克服し、アクセサリーが取り付けられたアクセサリー用取付具の取付部に対する取付状態の安定化を図ることを課題とする。
【課題を解決するための手段】
【００１３】
アクセサリー用取付具は、上記した課題を解決するために、一端部が種類の異なる二つの取付部に対して取付可能とされると共に他端部にアクセサリーが取り付けられるベース体と、前記ベース体の前記一端部に回転可能に支持され前記ベース体を前記取付部に固定する固定用ネジと、前記固定用ネジが挿通されるネジ挿通孔を有し前記ベース体が前記取付部に固定されたときに前記取付部に装着可能とされた保持部材とを備え、前記保持部材に、前記一方の取付部に対する前記固定用ネジの軸回り方向への前記ベース体の回転を規制する回り止め部が設けられたものである。
【００１４】
従って、アクセサリー用取付具にあっては、一方の取付部に固定された状態において、回り止め部によって固定用ネジの回転方向へのベース体の回転が規制される。
【００１５】
撮像装置は、上記した課題を解決するために、種類の異なる二つの取付部と被写体を撮影する撮像部とを有する装置本体と、前記装置本体にアクセサリーを取り付けるアクセサリー用取付具とを備え、前記アクセサリー用取付具は、一端部が前記装置本体の二つの取付部に対して取付可能とされると共に他端部にアクセサリーが取り付けられるベース体と、前記ベース体の前記一端部に回転可能に支持され前記ベース体を前記取付部に固定する固定用ネジと、前記固定用ネジが挿通されるネジ挿通孔を有し前記ベース体が前記取付部に固定されたときに前記取付部に装着可能とされた保持部材とを有し、前記保持部材に、前記一方の取付部に対する前記固定用ネジの軸回り方向への前記ベース体の回転を規制する回り止め部が設けられたものである。
【００１６】
従って、撮像装置にあっては、一方の取付部にアクセサリー用取付具が固定された状態において、回り止め部によって固定用ネジの回転方向へのベース体の回転が規制される。
【発明の効果】
【００１７】
本発明アクセサリー用取付具は、一端部が種類の異なる二つの取付部に対して取付可能とされると共に他端部にアクセサリーが取り付けられるベース体と、前記ベース体の前記一端部に回転可能に支持され前記ベース体を前記取付部に固定する固定用ネジと、前記固定用ネジが挿通されるネジ挿通孔を有し前記ベース体が前記取付部に固定されたときに前記取付部に装着可能とされた保持部材とを備え、前記保持部材に、前記一方の取付部に対する前記固定用ネジの軸回り方向への前記ベース体の回転を規制する回り止め部が設けられている。
【００１８】
従って、アクセサリー用取付具及びアクセサリーの向きが取付部の適正位置に対してずれてしまうことがなく、固定用ネジに対して緩み方向への外力が付与されても固定用ネジが緩み難く、アクセサリー用取付具及びアクセサリーの取付部に対する取付状態の安定化を図ることができる。
【００１９】
請求項２に記載した発明にあっては、前記一方の取付部として前記固定用ネジが螺合されるネジ溝を有する台座が設けられ、前記他方の取付部として一対のガイドレールを有するシューが設けられ、前記ベース体に前記シューのガイドレールに案内されて保持される一対の被ガイド部を設けている。
【００２０】
従って、アクセサリー用取付具を双方の取付部に容易に取り付けることができる。
【００２１】
請求項３に記載した発明にあっては、前記保持部材を前記ベース体に対して着脱可能とし、前記台座に前記ベース体が取り付けられるときに前記保持部材を前記ベース体に取り付け、前記シューに前記ベース体が取り付けられるときに前記保持部材を前記ベース体から取り外した状態としている。
【００２２】
従って、保持部材をベース体から取り外した状態でシューに取り付けることができるため、シューへのアクセサリー用取付具の取付を容易に行うことができる。
【００２３】
請求項４に記載した発明にあっては、前記保持部材が前記ベース体に取り付けられたときに前記保持部材を保持する付勢バネを設けたので、保持部材がベース体に取り付けられた状態において、保持部材のベース体からの脱落を防止することができる。
【００２４】
請求項５に記載した発明にあっては、前記固定用ネジの回転時に前記保持部材を前記固定用ネジと一体に前記固定用ネジの軸方向へ移動可能としたので、取付部に対するアクセサリー用取付具の取付及び取外を簡単かつ迅速に行うことができる。
【００２５】
本発明撮像装置は、種類の異なる二つの取付部と被写体を撮影する撮像部とを有する装置本体と、前記装置本体にアクセサリーを取り付けるアクセサリー用取付具とを備え、前記アクセサリー用取付具は、一端部が前記装置本体の二つの取付部に対して取付可能とされると共に他端部にアクセサリーが取り付けられるベース体と、前記ベース体の前記一端部に回転可能に支持され前記ベース体を前記取付部に固定する固定用ネジと、前記固定用ネジが挿通されるネジ挿通孔を有し前記ベース体が前記取付部に固定されたときに前記取付部に装着可能とされた保持部材とを有し、前記保持部材に、前記一方の取付部に対する前記固定用ネジの軸回り方向への前記ベース体の回転を規制する回り止め部が設けられている。
【００２６】
従って、アクセサリー用取付具及びアクセサリーの向きが取付部の適正位置に対してずれてしまうことがなく、固定用ネジに対して緩み方向への外力が付与されても固定用ネジが緩み難く、アクセサリー用取付具及びアクセサリーの取付部に対する取付状態の安定化を図ることができる。
【発明を実施するための最良の形態】
【００２７】
以下に、本発明アクセサリー用取付具及び撮像装置を実施するための最良の形態を添付図面に従って説明する。
【００２８】
以下に示した最良の形態は、本発明撮像装置をビデオカメラに適用し、本発明アクセサリー用取付具をこのビデオカメラのアクセサリー用取付具に適用したものである。
【００２９】
但し、本発明の適用範囲はビデオカメラ及びビデオカメラのアクセサリー用取付具に限られることはなく、例えば、スチルカメラ、パーソナルコンピューター、ＰＤＡ（Personal Digital Assistant）、携帯電話等の撮像装置として用いられる各種の装置及びこれらの各種の装置のアクセサリー用取付具に広く適用することができる。
【００３０】
また、本発明アクセサリー用取付具は、撮像装置以外の三脚やグリップ等の保持具に取り付けられるアクセサリー用取付具としても適用することができる。
【００３１】
以下の説明にあっては、撮像装置（ビデオカメラ）の撮影時において撮影者から見た方向で前後上下左右の方向を示すものとする。従って、被写体側が前方となり、撮影者側が後方となる。
【００３２】
尚、以下に示す前後上下左右の方向は説明の便宜上のものであり、本発明の実施に関しては、これらの方向に限定されることはない。
【００３３】
撮像装置（ビデオカメラ）１は装置本体２を備えている（図１参照）。
【００３４】
装置本体２の上端部には撮影時等にユーザーが撮像装置１を把持するための把手部３が設けられている。
【００３５】
装置本体２には前方へ突出されたレンズブロック４が設けられ、該レンズブロック４の内部には所要の複数のレンズ、開口絞り及び撮像素子等の光学系が配置されている。複数のレンズ、開口絞り及び撮像素子等は被写体を撮影する撮像部として機能する。
【００３６】
装置本体２には、把手部３の後方に連続してファインダー部５が設けられ、把手部３の前方に連続して突出部６が設けられている。突出部６の側方にはマイク部７が設けられている。
【００３７】
突出部６の後端側の部分には開閉可能な表示部（液晶表示部）７が配置されている。表示部７を開放することにより、撮影時の映像の確認や撮影したデーターを再生して確認を行うことができる。
【００３８】
撮像装置１には映像を記録するための記録媒体として、例えば、テープカセット、円板状の記録ディスク、ハードディスク等が用いられる。これらの記録媒体は装置本体２の内部に装着される。
【００３９】
撮像装置１には、その上面に前後に離隔して台座８とシュー９が設けられている。台座８とシュー９は後述するアクセサリー用取付具を取り付けるための種類の異なる取付部として設けられている。
【００４０】
台座８は、図２に示すように、扁平な略矩形の台状に形成され、上方に開口されたネジ溝８ａを有している。
【００４１】
シュー９は、図３に示すように、外形が略矩形状に形成され、左右に離隔して一対のガイドレール９ａ、９ａを有している。
【００４２】
取付部として設けられた台座８又はシュー９にはアクセサリー用取付具１０が取り付けられる。
【００４３】
以下に、第１の実施の形態におけるアクセサリー用取付具１０について説明する（図４乃至図８参照）。
【００４４】
アクセサリー用取付具１０はベース体１１と固定用ネジ１２と取付用ネジ１３と保持部材１４を有している（図４及び図５参照）。
【００４５】
ベース体１１はベース板１５と該ベース板１５の下面に取り付けられたスペーサー１６と該スペーサー１６の下面に取り付けられたプレート１７とから成る。ベース板１５の上面には補助プレート１８が取り付けられる。
【００４６】
ベース板１５は垂直に対して上方側が稍前方に傾斜された連結部１９と該連結部１９の上縁から後斜め上方へ突出された上面部２０と連結部１９の下縁から後方へ突出された下面部２１とから成る。上面部２０には位置決めピン２０ａとネジ挿通孔２０ｂが左右に離隔して形成されている。下面部２１には、中央部にネジ挿通孔２１ａが形成され、該ネジ挿通孔２１ａの周囲に螺孔２１ｂ、２１ｂ、・・・が形成されている。
【００４７】
スペーサー１６には、中央部に挿通孔１６ａが形成され、該挿通孔１６ａの周囲に挿入孔１６ｂ、１６ｂ、・・・が形成されている。
【００４８】
プレート１７には、中央部にネジ用螺孔１７ａが形成され、該ネジ用螺孔１７ａの周囲に挿入孔１７ｂ、１７ｂ、・・・が形成されている。プレート１７は左右方向における幅がスペーサー１６の左右方向における幅より大きくされている。
【００４９】
プレート１７及びスペーサー１６は、順に挿入孔１７ｂ、１７ｂ、・・・、挿入孔１６ｂ、１６ｂ、・・・にそれぞれネジ部材５０、５０、・・・が挿入され、該ネジ部材５０、５０、・・・が螺孔２１ｂ、２１ｂ、・・・に螺合されることによりベース板１５の下面部２１における下面に取り付けられ、ベース体１１が構成される。
【００５０】
ベース体１１が構成された状態においては、プレート１７の左右両端部がそれぞれスペーサー１６の左右両端から左右に突出され、この突出された部分がそれぞれ被ガイド部１７ｃ、１７ｃとされる（図５参照）。
【００５１】
尚、上記には、ベース体１１をベース板１５とスペーサー１６とプレート１７の三つの部材によって構成した例を示したが、ベース体１１の構成は三つの部材に限られることはない。例えば、こられの三つの部材のうち少なくとも二つの部材を一体に形成することにより構成することも可能である。
【００５２】
補助プレート１８には位置決め孔１８ａとネジ挿通孔１８ｂが左右に離隔して形成されている（図４参照）。補助プレート１８は位置決め孔１８ａに位置決めピン２０ａが挿入されて位置決めされ、ベース板１５の上面部２０における上面に取り付けられる。
【００５３】
取付用ネジ１３は回転操作部１３ａと該回転操作部１３ａの中心部から突出された軸部１３ｂと該軸部１３ｂに連続するネジ部１３ｃとから成る。
【００５４】
ベース板１５の上面部２０に補助プレート１８が取り付けられた状態において、下方からベース板１５のネジ挿通孔２０ｂ及び補助プレート１８のネジ挿通孔１８ｂに取付用ネジ１３の軸部１３ｂ及びネジ部１３ｃが挿入される。ネジ部１３ｃは回転操作部１３ａが所定の方向へ回転されることによりアクセサリー１００に形成された図示しないネジ溝に螺合され、アクセサリー１００がベース体１１の上面部２０に取り付けられる（図１参照）。
【００５５】
アクセサリー１００としては、例えば、記録媒体が装着されるアダプターや夜間撮影時等に用いられる照明装置が用いられる。これらのアクセサリー１００がベース体１１に取り付けられた状態においては、アクセサリー１００と装置本体２がケーブル２００によって接続される。ケーブル２００はアクセサリー１００と装置本体２の間での信号の授受や装置本体２からアクセサリー１００への通電を行うためのものである。尚、アクセサリー１００への通電は、該アクセサリー１００にバッテリー３００を装着し該バッテリー３００から行うことも可能である。また、このバッテリー３００を装置本体２への通電用の電源として用いることも可能である。
【００５６】
固定用ネジ１２は、図４に示すように、回転操作部１２ａと該回転操作部１２ａの中心部から突出された上側軸部１２ｂと該上側軸部１２ｂに連続する下側軸部１２ｃと該下側軸部１２ｃに連続するネジ部１２ｄとから成る。
【００５７】
保持部材１４は下方に開口された略コ字状に形成され、上下方向を向くネジ挿通面部２２と該ネジ挿通面部２２の左右両側縁からそれぞれ下方へ突出された回り止め部２３、２３とから成る。ネジ挿通面部２２の中央部にはネジ挿通孔２２ａが形成されている。
【００５８】
固定用ネジ１２は上側軸部１２ｂ、下側軸部１２ｃ及びネジ部１２ｄが保持部材１４のネジ挿通孔２２ａに上方から挿入され、ネジ挿通面部２２の下面側において、上側軸部１２ｂの上端寄りの位置に固定用リング２４が取り付けられる。固定用ネジ１２は保持部材１４に対して軸回り方向へ回転可能とされるが、固定用リング２４が取り付けられることにより、保持部材１４に対して軸方向へ移動不能とされる。
【００５９】
固定用ネジ１２は、上側軸部１２ｂ、下側軸部１２ｃ及びネジ部１２ｄがベース体１１のネジ挿通孔２１ａ及び挿通孔１６ａを上側から順に挿通され、ネジ部１２ｄがプレート１７のネジ用螺孔１７ａに螺合される。
【００６０】
従って、固定用ネジ１２は、回転操作部１２ａが回転されてネジ部１２ｄがネジ用螺孔１７ａに捩じ込まれ又は捩じ戻されることにより、ベース体１１に対して保持部材１４と一体となって上下方向へ移動される。
【００６１】
以下に、アクセサリー用取付具１０の台座８への取付について説明する（図６及び図７参照）。
【００６２】
先ず、固定用ネジ１２の回転操作部１２ａを回転させて、図６に示すように、固定用ネジ１２をネジ部１２ｄの下面がプレート１７の下面に略一致するように位置させる。このとき保持部材１４は下端がプレート１７より上方に位置される。
【００６３】
次に、プレート１７の下面を台座８の上面に接触させてベース体１１を台座８に載置する。
【００６４】
次いで、固定用ネジ１２の回転操作部１２ａを一方の方向へ回転させてネジ部１２ｄを台座８のネジ溝８ａに捩じ込んでいく。このとき固定用ネジ１２と一体となって保持部材１４が下方へ移動され、回り止め部２３、２３の下端部における内面がそれぞれ台座８の左右両側面に当接又は近接して位置される（図７参照）。
【００６５】
固定用ネジ１２のネジ部１２ｄがネジ溝８ａに捩じ込まれることによりベース体１１が台座８に固定され、回り止め部２３、２３によって固定用ネジ１２の軸回り方向へのベース体１１の回転が規制される。
【００６６】
アクセサリー用取付具１０の台座８からの取外は、固定用ネジ１２の回転操作部１２ａを他方の方向へ回転させてネジ部１２ｄを台座８のネジ溝８ａに対して捩じ戻すことにより行うことができる。
【００６７】
以下に、アクセサリー用取付具１０のシュー９への取付について説明する（図６及び図８参照）。
【００６８】
先ず、固定用ネジ１２の回転操作部１２ａを回転させて、図６に示すように、固定用ネジ１２をネジ部１２ｄの下面がプレート１７の下面に略一致するように位置させる。このとき保持部材１４は下端がプレート１７より上方に位置される。
【００６９】
次に、プレート１７の被ガイド部１７ｃ、１７ｃをそれぞれシュー９のガイドレール９ａ、９ａに前方又は後方から挿入してスライドさせる。
【００７０】
次いで、固定用ネジ１２の回転操作部１２ａを一方の方向へ回転させてネジ部１２ｄをシュー９の上面に押し付ける（図８参照）。ネジ部１２ｄをシュー９の上面に押し付けることにより、プレート１７の被ガイド部１７ｃ、１７ｃの上面とガイドレール９ａ、９ａの下面との隙間分だけベース体１１が上昇され、被ガイド部１７ｃ、１７ｃがそれぞれガイドレール９ａ、９ａに下方から押し付けられる。
【００７１】
ネジ部１２ｄがシュー９の上面に押し付けられ、被ガイド部１７ｃ、１７ｃがそれぞれガイドレール９ａ、９ａに下方から押し付けられることによりベース体１１がシュー９に固定される。このときガイドレール９ａ、９ａにプレート１７の被ガイド部１７ｃ、１７ｃが挿入されているため、固定用ネジ１２の軸回り方向へのベース体１１の回転が規制されている。
【００７２】
アクセサリー用取付具１０のシュー９からの取外は、固定用ネジ１２の回転操作部１２ａを他方の方向へ回転させ、プレート１７の被ガイド部１７ｃ、１７ｃをガイドレール９ａ、９ａから引き抜くことにより行うことができる。
【００７３】
以上に記載した通り、アクセサリー用取付具１０にあっては、固定用ネジ１２の軸回り方向へのベース体１１の回転を規制する回り止め部２３、２３を有する保持部材１４が設けられている。
【００７４】
従って、装置本体２に対するアクセサリー用取付具１０及びアクセサリー１００の向きが適正位置に対してずれてしまうことがなく、固定用ネジ１２に対して緩み方向への外力が付与されても固定用ネジ１２が緩み難く、アクセサリー用取付具１０及びアクセサリー１００の装置本体２に対する取付状態の安定化を図ることができる。
【００７５】
また、ベース体１１にシュー９のガイドレール９ａ、９ａに案内されて保持される一対の被ガイド部１７ｃ、１７ｃが設けられているため、アクセサリー用取付具１０を台座８とシュー９の双方に容易に取り付けることができる。
【００７６】
さらに、回り止め部２３、２３を有する保持部材１４が固定用ネジ１２の回転に伴って一体となって上下方向へ移動されるため、台座８に対するアクセサリー用取付具１０の取付及び取外を簡単かつ迅速に行うことができる。
【００７７】
次に、第２の実施の形態におけるアクセサリー用取付具３０について説明する（図９乃至図１４参照）。
【００７８】
アクセサリー用取付具３０はベース体３１と固定用ネジ３２と取付用ネジ３３と保持部材３４を有している（図９及び図１０参照）。
【００７９】
ベース体３１はベース板３５と該ベース板３５の下面に取り付けられた付勢バネ３６と該付勢バネ３６の下面に取り付けられたスペーサー３７と該スペーサー３７の下面に取り付けられたプレート３８とから成る。ベース板３５の上面には補助プレート３９が取り付けられる。
【００８０】
ベース板３５は垂直に対して上方側が稍前方に傾斜された連結部４０と該連結部４０の上縁から後斜め上方へ突出された上面部４１と連結部４０の下縁から後方へ突出された下面部４２とから成る。上面部４１には位置決めピン４１ａとネジ挿通孔４１ｂが左右に離隔して形成されている。下面部４２には、中央部にネジ挿通孔４２ａが形成され、該ネジ挿通孔４２ａの周囲に螺孔４２ｂ、４２ｂ、・・・が形成されている。
【００８１】
付勢バネ３６は板バネであり、上下方向を向く平板部４３と該平板部４３の前端部から後方へ突出されたバネ部４４、４４とから成る。
【００８２】
平板部４３には、中央部に挿通孔４３ａが形成され、該挿通孔４３ａの周囲に挿入孔４３ｂ、４３ｂ、・・・が形成されている。
【００８３】
バネ部４４、４４はぞれぞれ前端部と後端部を除いた部分が下方へ凸の円弧状に形成された弾性部４４ａ、４４ａとして設けられている。
【００８４】
スペーサー３７には、中央部に挿通孔３７ａが形成され、該挿通孔３７ａの周囲に挿入孔３７ｂ、３７ｂ、・・・が形成されている。
【００８５】
プレート３８には、中央部にネジ用螺孔３８ａが形成され、該ネジ用螺孔３８ａの周囲に挿入孔３８ｂ、３８ｂ、・・・が形成されている。プレート３８は左右方向における幅がスペーサー３７の左右方向における幅より大きくされ、付勢バネ３６の平板部４３の左右方向における幅と略同じにされている。
【００８６】
プレート３８、スペーサー３７及び付勢バネ３６は、順に挿入孔３８ｂ、３８ｂ、・・・、挿入孔３７ｂ、３７ｂ、・・・、挿入孔３６ｂ、３６ｂ、・・・にそれぞれネジ部材５０、５０、・・・が挿入され、該ネジ部材５０、５０、・・・が螺孔４２ｂ、４２ｂ、・・・に螺合されることによりベース板３５の下面部４２における下面に取り付けられ、ベース体３１が構成される。
【００８７】
ベース体３１が構成された状態においては、プレート３８の左右両端部がそれぞれスペーサー３７の左右両端から左右に突出され、この突出された部分がそれぞれ被ガイド部３８ｃ、３８ｃとされる（図１０参照）。スペーサー３７は付勢バネ３６の平板部４３の下面に接し、スペーサー３７の左右にそれぞれ付勢バネ３６のバネ部４４、４４が位置される。
【００８８】
尚、上記には、ベース体１１をベース板３５と付勢バネ３６とスペーサー３７とプレート３８の四つの部材によって構成した例を示したが、ベース体１１の構成は四つの部材に限られることはない。例えば、こられの四つの部材のうち少なくとも二つの部材を一体に形成することにより構成することも可能である。
【００８９】
補助プレート３９には位置決め孔３９ａとネジ挿通孔３９ｂが左右に離隔して形成されている（図９参照）。補助プレート３９は位置決め孔３９ａに位置決めピン４１ａが挿入されて位置決めされ、ベース板３５の上面部４１における上面に取り付けられる。
【００９０】
取付用ネジ３３は回転操作部３３ａと該回転操作部３３ａの中心部から突出された軸部３３ｂと該軸部３３ｂに連続するネジ部３３ｃとから成る。
【００９１】
ベース板３５の上面部４１に補助プレート３９が取り付けられた状態において、下方からベース板３５のネジ挿通孔４１ｂ及び補助プレート３９のネジ挿通孔３９ｂに取付用ネジ３３の軸部３３ｂ及びネジ部３３ｃが挿入される。ネジ部３３ｃは回転操作部３３ａが所定の方向へ回転されることによりアクセサリー１００に形成された図示しないネジ溝に螺合され、アクセサリー１００がベース体３１の上面部４１に取り付けられる（図１参照）。
【００９２】
固定用ネジ３２は、図９に示すように、回転操作部３２ａと該回転操作部３２ａの中心部から突出された上側軸部３２ｂと該上側軸部３２ｂに連続する下側軸部３２ｃと該下側軸部３２ｃに連続するネジ部３２ｄとから成る。
【００９３】
保持部材３４は、上下方向を向く平板状に形成された基面部４５と、該基面部４５の左右両側縁から下方へ突出された回り止め部４６、４６、・・・と、基面部４５の左右両側縁にそれぞれ上方へ突出するように設けられたガイド突部４７、４７と、基面部４５の前縁から上方へ突出されたストッパー部４８とから成る。
【００９４】
基面部４５の中央部にはネジ挿通孔４５ａが形成されている。
【００９５】
回り止め部４６、４６、・・・は、例えば、基面部４５の左右両側縁にそれぞれ前後に離隔して二つずつが設けられている。
【００９６】
固定用ネジ３２は、上側軸部３２ｂ、下側軸部３２ｃ及びネジ部３２ｄがベース体３１のネジ挿通孔４２ａ、付勢バネ３６の挿通孔４３ａ及びスペーサー３７の挿通孔３７ａを挿通され、ネジ部３２ｄがプレート３８のネジ用螺孔３８ａに螺合される。
【００９７】
従って、固定用ネジ３２は、回転操作部３２ａが回転されてネジ部３２ｄがネジ用螺孔３８ａに捩じ込まれ又は捩じ戻されることにより、ベース体３１に対して上下方向へ移動される。
【００９８】
以下に、アクセサリー用取付具３０の台座８への取付について説明する（図１１乃至図１３参照）。
【００９９】
先ず、保持部材３４をプレート３８に取り付ける。保持部材３４のプレート３８への取付は、保持部材３４のガイド突部４７、４７にそれぞれプレート３８の被ガイド部３８ｃ、３８ｃを後方から挿入し、プレート３８の前端がストッパー部４８に接するまでスライドさせることにより行う。保持部材３４がプレート３８に取り付けられた状態においては、図１１に示すように、ガイド突部４７、４７が付勢バネ３６のバネ部４４、４４における弾性部４４ａ、４４ａに接して下方へ付勢され、ガイド突部４７、４７がバネ部４４、４４と被ガイド部３８ｃ、３８ｃによって挟持される。
【０１００】
従って、保持部材３４がプレート３８に取り付けられた状態において、保持部材３４のプレート３８からの脱落を防止することができる。
【０１０１】
次に、固定用ネジ３２の回転操作部３２ａを回転させて、図１２に示すように、固定用ネジ３２をネジ部３２ｄの下面が保持部材３４の下面に略一致するように位置させる。
【０１０２】
次いで、保持部材３４の下面を台座８の上面に接触させてベース体３１を台座８に載置する。このとき保持部材３４の回り止め部４６、４６、・・・がそれぞれ台座８の左右両側面に当接又は近接して位置される。
【０１０３】
次に、固定用ネジ３２の回転操作部３２ａを一方の方向へ回転させてネジ部３２ｄを台座８のネジ溝８ａに捩じ込む（図１３参照）。
【０１０４】
固定用ネジ３２のネジ部３２ｄがネジ溝８ａに捩じ込まれることによりベース体３１が台座８に固定され、回り止め部４６、４６によって固定用ネジ３２の軸回り方向へのベース体３１の回転が規制される。
【０１０５】
アクセサリー用取付具３０の台座８からの取外は、固定用ネジ３２の回転操作部３２ａを他方の方向へ回転させてネジ部３２ｄを台座８のネジ溝８ａに対して捩じ戻すことにより行うことができる。
【０１０６】
以下に、アクセサリー用取付具３０のシュー９への取付について説明する（図１２及び図１４参照）。
【０１０７】
アクセサリー用取付具３０のシュー９への取付は、保持部材３４をプレート３８に取り付けない状態で行う。従って、アクセサリー用取付具３０のシュー９への取付に際しては、保持部材３４を用いない。
【０１０８】
先ず、固定用ネジ３２の回転操作部３２ａを回転させて、図１２に示すように、固定用ネジ３２をネジ部３２ｄの下面がプレート３８の下面に略一致するように位置させる。
【０１０９】
次に、プレート３８の被ガイド部３８ｃ、３８ｃをそれぞれシュー９のガイドレール９ａ、９ａに前方又は後方から挿入してスライドさせる。
【０１１０】
次いで、固定用ネジ３２の回転操作部３２ａを一方の方向へ回転させてネジ部３２ｄをシュー９の上面に押し付ける（図１４参照）。ネジ部３２ｄをシュー９の上面に押し付けることにより、プレート３８の被ガイド部３８ｃ、３８ｃの上面とガイドレール９ａ、９ａの下面との隙間分だけベース体３１が上昇され、被ガイド部３８ｃ、３８ｃがそれぞれガイドレール９ａ、９ａに下方から押し付けられる。
【０１１１】
ネジ部３２ｄがシュー９の上面に押し付けられ、被ガイ被ガイド部３８ｃ、３８ｃがそれぞれガイドレール９ａ、９ａに下方から押し付けられることによりベース体３１がシュー９に固定される。このときガイドレール９ａ、９ａにプレート３８の被ガイド部３８ｃ、３８ｃが挿入されているため、固定用ネジ３２の軸回り方向へのベース体３１の回転が規制されている。
【０１１２】
アクセサリー用取付具３０のシュー９からの取外は、固定用ネジ３２の回転操作部３２ａを他方の方向へ回転させ、プレート３８の被ガイド部３８ｃ、３８ｃをガイドレール９ａ、９ａから引き抜くことにより行うことができる。
【０１１３】
以上に記載した通り、アクセサリー用取付具３０にあっては、固定用ネジ３２の軸回り方向へのベース体３１の回転を規制する回り止め部４６、４６を有する保持部材３４が設けられている。
【０１１４】
従って、装置本体２に対するアクセサリー用取付具３０及びアクセサリー１００の向きが適正位置に対してずれてしまうことがなく、固定用ネジ３２に対して緩み方向への外力が付与されても固定用ネジ３２が緩み難く、アクセサリー用取付具３０及びアクセサリー１００の装置本体２に対する取付状態の安定化を図ることができる。
【０１１５】
また、ベース体３１にシュー９のガイドレール９ａ、９ａに案内されて保持される一対の被ガイド部３８ｃ、３８ｃが設けられているため、アクセサリー用取付具３０を台座８とシュー９の双方に容易に取り付けることができる。
【０１１６】
さらに、保持部材３４をベース体３１に対して着脱可能とし、台座８に取り付けられるときに保持部材３４をベース体３１に取り付け、シュー９に取り付けられるときに保持部材３４をベース体３１から取り外した状態としている。
【０１１７】
従って、保持部材３４をベース体３１から取り外した状態でシュー９に取り付けることができるため、シュー９へのアクセサリー用取付具３０の取付を容易に行うことができる。
【０１１８】
尚、保持部材は形状や大きさを取り付けられる台座の形状及び大きさに応じて形成することが可能である。
【０１１９】
例えば、図１５に示すように、台座８Ａが台座８と形状及び大きさが異なる場合に、台座８Ａの形状及び大きさに対応した保持部材３４Ａを用いることにより、アクセサリー用取付具３０を台座８Ａに取り付けることができる。
【０１２０】
また、図１６に示すように、平板部４３の前縁と左右両側縁からそれぞれ下方へ突出された回り止め部４６Ｂ、４６Ｂ、４６Ｂを有する保持部材３４Ｂを形成し、台座８Ｂに取り付けるようにしてもよい。
【０１２１】
さらに、図１７に示すように、平板部４３の後縁と左右両側縁からそれぞれ下方へ突出された回り止め部４６Ｃ、４６Ｃ、４６Ｃを有する保持部材３４Ｃを形成し、台座８Ｃに取り付けるようにしてもよい。
【０１２２】
上記には、撮像装置１の装置本体２に種類の異なる取付部として台座８及びシュー９が設けられている例を示したが、台座８とシュー９は何れか一方が撮像装置に設けられていてもよい。
【０１２３】
また、台座８とシュー９は撮像装置のみならず、三脚やグリップ等に取付部として設けられていてもよい。
【０１２４】
上記した発明の最良の形態において示した各部の具体的な形状及び構造は、何れも本発明を実施する際の具体化のほんの一例を示したものにすぎず、これらによって本発明の技術的範囲が限定的に解釈されることがあってはならないものである。
【図面の簡単な説明】
【０１２５】
【図１】図２乃至図１７と共に本発明アクセサリー用取付具及び撮像装置を示すものであり、本図は、撮像装置の斜視図である。
【図２】台座の拡大斜視図である。
【図３】シューの拡大斜視図である。
【図４】図５乃至図８と共に第１の実施の形態におけるアクセサリー用取付具を示すものであり、本図は、分解斜視図である。
【図５】拡大斜視図である。
【図６】台座に固定される前の状態を示す拡大断面図である。
【図７】台座に固定された状態を示す拡大断面図である。
【図８】シューに固定された状態を示す拡大断面図である。
【図９】図１０乃至図１４と共に第２の実施の形態におけるアクセサリー用取付具を示すものであり、本図は、分解斜視図である。
【図１０】拡大斜視図である。
【図１１】拡大側面図である。
【図１２】台座に固定される前の状態を示す拡大断面図である。
【図１３】台座に固定された状態を示す拡大断面図である。
【図１４】シューに固定された状態を示す拡大断面図である。
【図１５】台座の形状及び大きさに対応した保持部材を有するアクセサリー用取付具の例を示す拡大斜視図である。
【図１６】三つの回り止め部が設けられた保持部材を有するアクセサリー用取付具の例を示す拡大斜視図である。
【図１７】三つの回り止め部が設けられた保持部材を有するアクセサリー用取付具の別の例を示す拡大斜視図である。
【符号の説明】
【０１２６】
１…撮像装置、２…装置本体、８…台座、８ａ…ネジ溝、９…シュー、９ａ…ガイドレール、１０…アクセサリー用取付具、１１…ベース体、１２…固定用ネジ、１４…保持部材、１５…ベース板、１７…プレート、１７ｃ…被ガイド部、２２ａ…ネジ挿通孔、２３…回り止め部、３０…アクセサリー用取付具、３１…ベース体、３２…固定用ネジ、３４…保持部材、３５…ベース板、３６…付勢バネ、３８…プレート、３８ｃ…被ガイド部、４５ａ…ネジ挿通孔、４６…回り止め部、８Ａ…台座、３４Ａ…保持部材、８Ｂ…台座、３４Ｂ…保持部材、４６Ｂ…回り止め部、８Ｃ…台座、３４Ｃ…保持部材、４６Ｃ…回り止め部、１００…アクセサリー
【図１】
2010039430.tif 000003
【図２】
2010039430.tif 000004
【図３】
2010039430.tif 000005
【図４】
2010039430.tif 000006
【図５】
2010039430.tif 000007
【図６】
2010039430.tif 000008
【図７】
2010039430.tif 000009
【図８】
2010039430.tif 000010
【図９】
2010039430.tif 000011
【図１０】
2010039430.tif 000012
【図１１】
2010039430.tif 000013
【図１２】
2010039430.tif 000014
【図１３】
2010039430.tif 000015
【図１４】
2010039430.tif 000016
【図１５】
2010039430.tif 000017
【図１６】
2010039430.tif 000018
【図１７】
2010039430.tif 000019